(57)【要約】【課題】配線通路が形成された上下支柱をオーバラップさせることなく天板支持用ブラケットを組み付けながら確実かつ容易に一体連結できるテーブル等の上下支柱連結構造を提供すること。【解決手段】長尺天板支持脚１０Ａは、配線収納溝Ｈとカバー体１８とで配線が収納可能な空間が形成されると共に、下部支柱１０ａ頂部の雌ねじＸ１にボルトＢ１，Ｂ２を介して螺着したブラケット５に、上部支柱１０ａ′底部の雌ねじに螺合するボルトＢ３、Ｂ４を介して螺着したエンドカバーＥＣを、上部支柱１０ａ′の開口側からボルトＢ５で螺着することで、上下支柱を確実かつ容易に一体連結できる。【選択図】  図２
2004159697.tif 000002
【特許請求の範囲】
【請求項１】
ブラケットを介して天板を支える下部支柱と、該下部支柱に連接した下部支柱と同一構造の上部支柱とを備えたテーブル等の上下支柱連結構造であって、前記支柱は、周面の一部が上下方向に開口する脚柱と、該脚柱内に上下方向に沿って設けられる配線収納溝とが一体に形成されたもので、前記開口が着脱自在なカバー体により閉塞可能であり、前記配線収納溝とカバー体とで配線が収納可能な空間が形成されると共に、前記下部支柱の頂部に形成した雌ねじに螺合する雄ねじを介して螺着した前記ブラケットに、前記上部支柱の底部に形成した雌ねじに螺合する雄ねじを介して螺着した連結部材を上部支柱開口側から螺着したことを特徴とするテーブル等の上下支柱連結構造。
【請求項２】
前記支柱は天板外周より外側にオフセットされた位置に配置されている請求項１に記載のテーブル等の上下支柱連結構造。
【請求項３】
前記ブラケットと連結部材は面接合状態で対接している請求項１または２に記載のテーブル等の上下支柱連結構造。
【請求項４】
前記支柱に架台を装架した請求項１ないし３の何れかに記載のテーブル等の上下支柱連結構造。
【発明の詳細な説明】
【０００１】
【発明の属する技術分野】
本発明は、ブラケットを介して天板を支える下部支柱と、この下部支柱に連接した下部支柱と同一構造の上部支柱とを備えたテーブル等の上下支柱連結構造に関する。
【０００２】
【従来の技術】
従来より、テーブルや机等の天板支持脚に支持脚を連結して脚部を上方に延長させ、その延長支持脚に棚等を取り付けて利用形態の向上を図ったものが知られている。そして支持脚同士の接続として、支持脚の中心部にロングボルトを挿入して接続する方法があるが、支持脚に挿入孔を形成しなければならず、しかも配線等を支持脚の中に通そうとする場合はロングボルトが邪魔になり、配線挿通用支柱としては不向きであった。また下部支持脚の上端部にねじ孔又は雄ねじ部を形成し、上部支持脚の下端にそれに対応して雄ねじ部又はねじ孔を形成して螺合する方法もあるが、回転させながらねじ込むので回転最終位置が特定されず、断面が円形の支持脚以外は上下の支持脚の外形形状がずれてしまう恐れがあった。
【０００３】
そこで上述の連結手段に代えて、上部支柱を下部机脚に立設したコ字状の垂直部材に嵌挿させて所定位置でボルト留めしたもの（特許文献１参照）や、下部後脚に上棚の支柱を側面同士オーバラップさせてボルト留めしたもの（特許文献２参照）がテーブル脚連結手段として採用されている。
【０００４】
【特許文献１】
特開平１１−１６４７４１号公報（第２―３頁、段落００１１、００１６、図２）
【特許文献２】
特開平１０−２４３８２７号公報（第２頁、段落００１６、図５）
【０００５】
【発明が解決しようとする課題】
しかしながら、上記特許文献１に記載のものは、下部机脚の他にコ字状の垂直部材を立設しなければならず、構造が複雑でコスト高であった。また、特許文献２に記載のものは、支柱が上下でずれてしまい見栄えが良くないばかりでなく、オーバラップさせる分だけ上方の支柱の丈を長いものとしなければならなかった。しかも何れの特許文献に記載の支柱も、配線通路を設けることについては何ら考慮されておらず、また天板支持用ブラケットの支柱との接続は支柱連結とは別個に行なっており、組み付け作業が煩雑であった。
【０００６】
本発明は、このような状況に鑑みてなされたもので、配線通路が形成された上下支柱をオーバラップさせることなく天板支持用ブラケットを組み付けながら確実かつ容易に一体連結できるテーブル等の上下支柱連結構造を提供することを目的とするものである。
【０００７】
【課題を解決するための手段】
上記課題を解決するために、本発明のテーブル等の上下支柱連結構造は、ブラケットを介して天板を支える下部支柱と、該下部支柱に連接した下部支柱と同一構造の上部支柱とを備えたテーブル等の上下支柱連結構造であって、前記支柱は、周面の一部が上下方向に開口する脚柱と、該脚柱内に上下方向に沿って設けられる配線収納溝とが一体に形成されたもので、前記開口が着脱自在なカバー体により閉塞可能であり、前記配線収納溝とカバー体とで配線が収納可能な空間が形成されると共に、前記下部支柱の頂部に形成した雌ねじに螺合する雄ねじを介して螺着した前記ブラケットに、前記上部支柱の底部に形成した雌ねじに螺合する雄ねじを介して螺着した連結部材を上部支柱開口側から螺着したことを特徴としている。
この特徴によれば、カバー体の着脱により支柱内に容易に配線可能であり、上部支柱開口側から天板を支えるブラケットと前記上部支柱底部の連結部材を螺着できるので、上下支柱を確実かつ容易に一体連結できる。
【０００８】
本発明のテーブル等の脚構造において、前記支柱は天板外周より外側にオフセットされた位置に配置されていることが好ましい。
このようにすれば、上下支柱を天板に対して外側になるように立設しているので、天板の構造に左右されることなく容易に組み付けできる。
【０００９】
本発明のテーブル等の脚構造において、前記ブラケットと連結部材は面接合状態で対接していることが好ましい。
このようにすれば、上下支柱の組付けが容易で、両支柱の外形状が位置ずれした状態で接続されてしまう恐れがない。
【００１０】
本発明のテーブル等の脚構造において、前記支柱に架台を装架してあることが好ましい。
このようにすれば、テーブル上部にも棚や、配線ボックス等を備え付けることができ、利用形態の広いテーブルを提供できる。
【００１１】
【発明の実施の形態】
以下、本発明の実施形態を図面に基づいて説明する。図１は本発明の一実施形態に係る上下支柱連結構造が採用された一対の天板支持脚によって天板を支持した状態を示すテーブルの全体斜視図である。
【００１２】
符号１はテーブルであって、このテーブル１は、天板２と、この天板２の一側端に配置された一対の天板支持脚４ａ、４ｂ（以下支持脚と称する）と、天板２の他側端に配置された一対の長尺天板支持脚１０Ａ、１０Ｂ（以下長尺支持脚と称する）とから構成されている。
【００１３】
そして、一対の支持脚４ａ、４ｂの対向する内側面には、取付け金具６（図３，４参照）によりビスを介して天板２の端部形状に対して所定間隙Ｇ離れて幕板８が止着されている。
【００１４】
また、長尺支持脚１０Ａ、１０Ｂは、下部支柱１０ａ、１０ｂと、これら下部支柱１０ａ、１０ｂ上に連結部Ｊ１、Ｊ２を介して連結される上部支柱１０ａ′、１０ｂ′とから成り、下部支柱１０ａ、１０ｂの上端には、内側に向けて天板を支持するブラケット５（図２参照）が突設している。
【００１５】
これら支持脚４ａ、４ｂないし長尺支持脚１０Ａ、１０Ｂは、天板２の横幅より外側のオフセットされた位置に隣接して立脚しており、天板２は、支持脚４ａ、４ｂ並びに下部支柱１０ａ、１０ｂのそれぞれの上端に内側に向けて突設したブラケット５の上面に止着支持されている。
【００１６】
一対の長尺支持脚１０Ａ、１０Ｂの下部支柱１０ａ、１０ｂ並びに上部支柱１０ａ′、１０ｂ′の対向する内側面には、幕板１２取付け用の取付け金具６（図３、４参照）がそれぞれ取付けられており、これら取付け金具６に図示しないビスを介して幕板１２が止着されている。
【００１７】
この幕板１２は、図１に示すように天板２一端側外周の円弧に沿って平面視円弧状に湾曲した断面形状であって、一対の長尺支持脚１０Ａ、１０Ｂ下端から上端までを覆う高さで形成されている。
【００１８】
湾曲状の幕板１２は天板２の一端側外周形状に対して所定の開口が形成されるように所定間隙離れて配置され、この開口部は配線コード等の通過空間として使用することができるようになっている。
【００１９】
また、天板２上方の湾曲状幕板１２の内側面ないし一対の上部支柱１０ａ′、１０ｂ′間には、小物収納具や棚板等として構成される架台１３が装架されており、これにより、利用価値の少ないテーブル１端部の空間を利用形態が豊富なテーブル１として提供することができる。
【００２０】
次に、長尺支持脚１０Ａ、１０Ｂの連結部Ｊ１、Ｊ２における上下支柱連結構造に付き図２〜図４を参照して説明する。
【００２１】
図２は上下支柱連結構造を示す分解斜視図、図３は連結部において上下支柱が切り離された状態を示す部分斜視図であり、図４は連結部において上下支柱が連結された状態を示す部分斜視図である。尚、左右の長尺支持脚１０Ａ、１０Ｂは、同一構造で構成されているため、一方の長尺支持脚１０Ａに付いて説明し、他方の説明を省略する。
【００２２】
図２において、長尺支持脚１０Ａの連結部Ｊ１における上下支柱１０ａ、１０ａ′は同一構造であって（下部支柱のみ断面形状が明示されている）、楕円形状の断面を有し扁平な片側側面の一部を長軸方向（上下方向）に沿って開口し、その開口の両端縁から内方に向けて延設する一対の取付け面１４ａ、１４ｂが形成された管状の脚柱１０と、仕切板１１に凹設され上下方向に連なる円弧状の配線収納溝Ｈと、この取付け面１４ａ、１４ｂの内端縁にそれぞれ突設した一対の突条リブ１５ａ、１５ｂとから構成されている。
【００２３】
なお、本実施例で用いられている支柱は、軽量化の目的で、管状の脚柱１０と配線収納溝Ｈが形成されている仕切板１１とが一体に成形（例えば押し出し成形）されたものを使用しているが、特にこれに限定されるものではない。
【００２４】
配線収納溝Ｈには、一対の上下方向に延びる凹状の係止部１６ａ、１６ｂが形成され、これら係止部１６ａ、１６ｂにはカバー体１８が係止されるようになっている。そしてこの配線収納溝Ｈとカバー体１８で配線空間が形成される。
【００２５】
このカバー体１８は、脚柱１０に形成される一対の取付け面１４ａ、１４ｂの開口を閉塞するものであって、横幅が取付け面１４ａ、１４ｂ両端縁間の寸法より若干狭い寸法で形成されており、脚柱１０の外周形状に連続する楕円の一部となる円弧状に形成され、各上下支柱１０ａ、１０ａ′の脚柱１０全長と略同一長さに形成されている。
【００２６】
更にカバー体１８の湾曲内面には、先端に外方を向く係止部となる係止突起２０ａ、２０ｂ（図４参照）を形成した一対のリブ２０が長手方向に沿って突出し、対向する凹状の係止部１６ａ、１６ｂに弾力的に係合するよう形成されている。
【００２７】
また下部支柱１０ａの脚柱１０上端には、所定位置にねじ孔Ｈ１が形成されているブラケット５の一端側に形成したトップカバーＴＣが、ボルトＢ１、Ｂ２を介して雌ねじＸ１に螺合することで取付けられるようになっており、ブラケット５の他端側は天板２を止着支持するためのボルト孔が形成されている。
【００２８】
一方、上部支柱１０ａ′の脚柱１０下端には、連結部材としてのエンドカバーＥＣがボルトＢ３、Ｂ４を介してトップカバーＴＣと同様に取付けられており、エンドカバーＥＣには、上記トップカバーＴＣのねじ孔Ｈ１に対応する位置に取付け孔Ｈ２が形成されている。
【００２９】
下部支柱１０ａの上端と上部支柱１０ａ′の下端を連結するに際し、図３に示すように、下部支柱１０ａ上端のトップカバーＴＣ頂部に上部支柱１０ａ′下端のエンドカバーＥＣ底部を面接合状態で対接させる。面接合であるので上下支柱の外形形状を正確に合わせて螺合することができる。また、トップカバーＴＣとエンドカバーＥＣの対接面にダボとダボ穴を設けて両者を位置決めした状態でボルト締めしてもよい。
【００３０】
次いで、図３に示すように、カバー体１８を離脱した状態で上部支柱１０ａ′の開口よりボルトＢ５を取付け孔Ｈ２に挿通し、トップカバーＴＣのねじ孔Ｈ１に螺着することで上下支柱１０ａ、１０ａ′が連結される。その後カバー体１８を取り付けて，図４に示すように、長尺支持脚１０Ａを有するテーブルが構築される。なお、上部支柱１０ａ′の頂部には図示しないがキャップを取り付ける。
【００３１】
従って、上記のように構成された上下支柱連結構造によれば、カバー体１８の着脱により下部支柱１０ａないし上部支柱１０ａ′内の配線収納溝Ｈに容易に配線可能であり、上部支柱１０ａ′の開口側から天板２を支えるブラケット５のトップカバーＴＣと、上部支柱１０ａ′下端の連結部材となるエンドカバーＥＣをボルトＢ５により螺着できるので、上下支柱１０ａ、１０ａ′を確実かつ容易に一体連結できる。
【００３２】
また、一対の支持脚４ａ、４ｂ及び長尺支持脚１０Ａ、１０Ｂは、天板２の外周より外側にオフセットされた位置に立設しているので、天板２の構造に左右されることなく容易に組み付けできる。
【００３３】
更に、ブラケット５のトップカバーＴＣとエンドカバーＥＣが面接合状態で対接しているので、上下支柱１０ａ、１０ａ′の組付けが容易で、両支柱１０ａ、１０ａ′の外形状が位置ずれした状態で接続されてしまう恐れがない。
【００３４】
そして、上部支柱１０ａ′に棚１３や配線ボックス等の架台を装架できるので、利用形態の広いテーブルを提供することができる。
【００３５】
【発明の効果】
本発明は以下の効果を奏する。
【００３６】
（ａ）請求項１項の発明によれば、カバー体の着脱により支柱内に容易に配線可能であり、上部支柱開口側から天板を支えるブラケットと前記上部支柱底部の連結部材を螺着できるので、上下支柱を確実かつ容易に一体連結できる。
【００３７】
（ｂ）請求項２項の発明によれば、上下支柱を天板に対して外側になるように立設しているので、天板の構造に左右されることなく容易に組み付けできる。
【００３８】
（ｃ）請求項３項の発明によれば、上下支柱の組付けが容易で、両支柱の外形状が位置ずれした状態で接続されてしまう恐れがない。
【００３９】
（ｄ）請求項４項の発明によれば、テーブル上部にも棚や、配線ボックス等を備え付けることができ、利用形態の広いテーブルを提供できる。
【図面の簡単な説明】
【図１】本発明の一実施形態に係る上下支柱連結構造が採用された一対の天板支持脚によって天板を支持した状態を示すテーブルの全体斜視図である。
【図２】上下支柱連結構造を示す分解斜視図である。
【図３】連結部において上下支柱が切り離された状態を示す部分斜視図である。
【図４】連結部において上下支柱が連結された状態を示す部分斜視図である。
【符号の説明】
１                    テーブル
２                    天板
４ａ、４ｂ            天板支持脚（支持脚）
５                    ブラケット
６                    取付け金具
８                    幕板
１０                  脚柱
１０Ａ、１０Ｂ        長尺天板支持脚（長尺支持脚）
１０ａ、１０ｂ        下部支柱
１０ａ′、１０ｂ′    上部支柱
１１                  仕切板
１２                  幕板
１３                  棚
１４ａ、１４ｂ        取付け面
１５ａ、１５ｂ        突条リブ
１６ａ、１６ｂ        係止部
１８                  カバー体
２０                  リブ
２０ａ、２０ｂ        係止突起
Ｂ１〜Ｂ５            ボルト
ＥＣ                  エンドカバー
Ｇ                    所定間隙
Ｈ                    配線収納溝
Ｈ１                  ねじ孔
Ｈ２                  取付け孔
Ｊ１、Ｊ２            連結部
ＴＣ                  トップカバー
【図１】
2004159697.tif 000003
【図２】
2004159697.tif 000004
【図３】
2004159697.tif 000005
【図４】
2004159697.tif 000006